(57)【特許請求の範囲】
【請求項１】
基板と、
作動化流体と、
前記基板内に配置され、かつ前記作動化流体に接触する複数の実質的に円柱状の回転要素と、
を備えた回転要素シート材であって、
前記複数の回転要素の１つが、
入力電磁気エネルギーへの第１の応答を第１の向きで、入力電磁気エネルギーへの第２の応答を第２の向きで示すように構成されたコアであって、前記第１の向きおよび前記第２の向きが該コアの軸を中心とした回転変換によって関連づけられるコアを備え、
前記作動化流体に接触する前記回転要素は、電気ベクトル場に相互作用するアドレス可能電気双極子、および磁気または電磁ベクトル場に相互作用するアドレス可能磁気双極子を示すように構成され、
前記回転要素および前記アドレス可能電気双極子は、前記回転要素が、実質的に前記軸に垂直な第１の方向に方向づけられた前記電気ベクトル場において、前記第１の応答を示すように構成され、
前記回転要素および前記アドレス可能磁気双極子は、さらに、前記回転要素が、前記第１の方向に方向づけられた前記磁気または電磁ベクトル場において、前記第２の応答を示すように構成されることを特徴とする回転要素シート材。
【請求項２】
回転要素シート材をアドレッシングする方法において、
基板と、作動化流体と、前記基板内に配置され、かつ前記作動化流体に接触する複数の実質的に円柱状の回転要素と、を備える回転要素シート材を用いるステップと、
該複数の回転要素の１つは、
入力電磁気エネルギーへの第１の応答を第１の向きで、入力電磁気エネルギーへの第２の応答を第２の向きで示すように形成されたコアであって、前記第１の向きおよび前記第２の向きはコアの軸を中心とした回転変換によって関連づけられるコアを備え、
前記作動化流体に接触する前記回転要素は、電気ベクトル場に結合するアドレス可能電気双極子、および磁気または電磁ベクトル場に結合するアドレス可能磁気双極子を示すように構成され、
前記回転要素および前記アドレス可能電気双極子は、前記回転要素が、実質的に前記軸に垂直な第１の方向に方向づけられた前記電気ベクトル場において、前記第１の応答を示すように構成され、
前記回転要素および前記アドレス可能磁気双極子は、さらに、前記回転要素が、前記第１の方向に方向づけられた前記磁気または電磁ベクトル場において、前記第２の応答を示すように構成され、
更に、前記第１の方向の前記電気ベクトル場を、導入するステップと、
を含むことを特徴とする方法。
【請求項３】
回転要素シート材を作成する方法において、
基板内に配置され、かつ作動化流体に接触する複数の回転要素を用いるステップと、
該複数の回転要素の１つは、
入力電磁気エネルギーへの第１の応答を第１の向きで、入力電磁気エネルギーへの第２の応答を第２の向きで示すように形成されたコアであって、前記第１の向きおよび前記第２の向きは該コアの軸を中心とした回転変換によって関連づけられるコアを備え、
前記作動化流体に接触する前記回転要素は、電気ベクトル場に結合するアドレス可能電気双極子、および磁気または電磁ベクトル場に相互作用するアドレス可能磁気双極子を示すように構成され、
前記回転要素および前記アドレス可能電気双極子は、前記回転要素が、実質的に前記軸に垂直な第１の方向に方向づけられた前記電気ベクトル場に第１の応答を示すように構成され、
前記回転要素および前記アドレス可能磁気双極子は、さらに、前記アドレス可能磁気双極子が前記軸に平行になるように構成され、
前記第１の方向の前記電気ベクトル場と、前記軸と前記第１の方向の両方に対して実質的に垂直な前記第２の方向の前記磁気または電磁ベクトル場と、を同時に供給するステップと、
該磁気または電磁ベクトル場は、前記アドレス可能磁気双極子が、前記第１の方向と前記軸の両方に対して実質的に垂直な前記第２の向きになるように前記アドレス可能磁気双極子を再度方向づけるために、前記アドレス可能磁気双極子に相互作用するように構成されている、
ことを含むことを特徴とする方法。
【発明の詳細な説明】
【０００１】
【発明の属する技術分野】
本発明は、二重ベクトル場アドレッシング構成部（デュアルベクトルフィールドアドレッシング構成部：dual vector-field addressing component）を含む回転要素シート材の作製および使用法に関する。より具体的には、本発明は、電気アドレッシング構成部と磁気アドレッシング構成部の両方を備えた回転要素シート材の作製および使用法に関する。
【０００２】
【従来の技術及び発明が解決しようとする課題】
回転要素シート材は、ともに本願に引用して援用する米国特許第４、１２６、８５４号および第４、１４３、１０３号に開示されており、一般には基板、作動化流体、および一群の回転要素（ローテータブルエレメント：rotatable element）を備える。以下により詳細に説明するが、回転要素シート材は、「再使用可能な電気ペーパ」としての使途を見出している。図１および図２は、回転要素１０、作動化流体（イネーブリングフィールド：enabling fluid）２０、キャビティ（キャビティ：cavity）３０および基板４０を含む回転要素シート材５０の拡大された断面を示す図である。観察者６０も示されている。図２には円筒状に形成された回転要素およびキャビティが示されているが、他の多くの形状が有効であり、本発明に適合する。本願に引用して援用する米国特許第５、３８９、９４５号に開示されているように、基板４０の厚さは、数百マイクロメートル程度とすることができ、回転要素１０およびキャビティ３０の寸法は、１０から１００マイクロメートル程度とすることができる。
【０００３】
図１および図２において、基板４０はシリコンゴムの如きエラストマー材で、基板４０に設けられた１つまたは複数のキャビティの内部に作動化流体２０および回転要素群を収容している。その１つまたは複数のキャビティは、回転要素１０が作動化流体２０に接触し、回転要素１０の少なくとも１つの並進自由度が制限されるように、作動化流体２０および回転要素群を収容している。作動化流体２０と回転要素１０の接触により回転要素１０の対称性が切断され、回転要素１０のアドレッシングが可能になる。回転要素１０の対称性切断（ブロークンシンメトリ：broken symmetry）の状態、あるいはアドレッシング極性は、回転軸を中心とした電気双極子の確立となりうる。例えば、誘電性液体中の微粒子は表面塗膜のゼータ電位に関連する電荷を受けることがよく知られている。したがって、回転軸を中心とした回転要素の反対側に積層する塗膜を好適に選択することによって、誘電性液体中の回転要素上に電気双極子を確立させることが可能である。
【０００４】
回転要素シート材を「再使用可能な電気ペーパ」として使用するのは、回転要素は、上述したアドレッシング極性に関連づけられる第２の対称性切断、すなわち多値アスペクトが与えられるという事実によるものである。すなわち、例えば図２に示されているように、区別可能な方法で入射電磁気エネルギーに応答するように、上述の塗膜を選択することができる。したがって、加ベクトル場は、好適に位置する観察者６０に対する回転要素１０のアスペクトを制御することが可能である。
【０００５】
例えば、本願に引用して援用する米国特許第４、１２６、８５４号に開示されているように、回転要素１０は、その半球に酸化チタンをスパッタリングし、その酸化チタンが一方向で明色アスペクトを提供する概ね球体の黒色ポリエチレンを含むことができる。透明の誘電性液体中の当該回転要素は、所望のアドレッシング極性、ならびに所望のアスペクトを示すことになる。
【０００６】
ＩＩ．Ａ  ２値アスペクトによる回転要素
最も単純な形の多値アスペクトは２値アスペクトである。該アスペクトが可視光に対する色彩応答であるときは、２値アスペクトによる回転要素は、二色の回転要素と称することができる。当該回転要素は、本願に引用して援用する米国特許第５、２６２、０９８号および第６、１４７、７９１号に記載されている材料の二層体により作製することができる。
【０００７】
図３から図６は、先行技術による当該回転要素を用いた２値アスペクトおよび典型的なシステムによる回転要素１０を示す図である。図３において、回転要素１０は、第１の層７０および第２の層８０から構成され、ここでも例示により、全体的に円筒状の物体としている。第１の層７０の表面には第１のゼータ電位の第１の塗膜７５が設けられ、第２の層８０の表面には第２のゼータ電位の第２の塗膜が設けられている。第１の塗膜７５および第２の塗膜８５は、誘電性流体（図示せず）と接触したときに、第１の塗膜７５が第２の塗膜８５に対して正味負の電荷を有するように選択される。これは、図３において、それぞれ「−」および「＋」の符号で表される。さらに、第１の塗膜７５と第１の層７０の表面との組み合わせは白色で、第２の塗膜８５と第２の層８０の表面との組み合わせは非白色になっており、図３では陰影線で示されている。第１の層７０および第１の塗膜７５に関連する材料は同一でありうることを当業者なら理解するはずである。同様に、第２の層８０および第２の塗膜８５に関連する材料も同一でありうる。
【０００８】
図４は、無場集合体（no-field set）１１０を示す図である。無場集合体１１０は、ベクトル場１００が零の大きさのときのベクトル場１００の付近における任意に配向された回転要素の部分集合体である。ベクトル場１００は電場である。よって、無場集合体１１０は、各々に対して任意の方向を有する回転要素である。したがって、無場集合体１１０の場合は、観察者６０は、無秩序に配列された（図３に示されるような）第２の塗膜８５と第２の層８０の表面との組み合わせ、および第１の塗膜７５と第１の層７０の表面との組み合わせの外観を認識する。インフラ層５５は、得られるビューの背景を形成する。インフラ層５５は、あらゆる種類の材料から構成することができ、それには他の回転要素、または観察者６０に対して特定のアスペクトを示す材料が含まれるが、それらに限られるものではない。
【０００９】
図５および図６は、第１のアスペクト集合体１２０を示す図である。第１のアスペクト集合体１２０は、ベクトル場１００の大きさが零でないときのベクトル場１００付近における回転要素の部分集合体で、矢印１０５によって示される向きを有する。第１のアスペクト集合体１２０において、すべての回転要素は、各回転要素１０上に存在する静電気双極子により、矢印１０５に対して配向している。無場集合体１１０とは対照的に、第１のアスペクト集合体１２０の場合は、観察者６０は、非白色の側を上にして（図３に示されているように第２の塗膜８５と第２の層８０の表面との組み合わせを上にして）順序づけられた回転要素の集合体の外観を認識する。ここでもインフラ層５５は、得られる概観図の背景を形成する。図５および図６において、回転要素１０は加ベクトル場１００の影響の下で、第１の塗膜７５および第２の塗膜８５によって生じる電荷のため、ベクトル場１００に対して配向する。図５は、観察者６０、第１のアスペクト集合体１２０およびインフラ層５５の相対的な位置を示す側面図である。図６は、上面の視点から見た第１のアスペクト集合体１２０の代替図である。図６において、符号
【数１】
0004398621.tif 000002
は同図の平面から外へ向う矢印を示す。
【００１０】
第１のアスペクト集合体１２０は、一部には、回転要素１０と例えばキャビティの壁（図示せず）のような基板構造との間の引力に関連するエネルギーにより、ベクトル場１００が取り除かれた後でもそのアスペクトを維持することを当業者なら理解するはずである。このエネルギーは、一部には、参照により上文に取り入れられ、以下により詳しく説明する米国特許第４、１２６、８５４号に開示されているように、切換え特性、および回転要素シート材５０の記憶容量に寄与する。
【００１１】
さらに、図４から図６において説明した無場集合体および第１のアスペクト集合体は画素の要素を形成することができ、例えば、本願に引用して援用する米国特許第５、７１７、５１５号に記載されているように、アドレッシングスキームを用いて画素毎にベクトル場１００を処理することが可能であることを当業者なら理解するはずである。
【００１２】
例えば、１９７８年１１月２１日に公布された「Ｔｗｉｓｔｉｎｇ Ｂａｌｌ Ｐａｎｅｌ Ｄｉｓｐｌａｙ」という名称の米国特許第４、１２６、８５４号、および１９７９年３月６日に公布された「Ｍｅｔｈｏｄ Ｏｆ Ｍａｋｉｎｇ Ａ Ｔｗｉｓｔｉｎｇ Ｂａｌｌ Ｄｉｓｐｌａｙ」という名称の米国特許第４、１４３、１０３号（いずれもシェリドンによる）には、流体が充填されたキャビティに含まれ、エラストマー媒体に埋め込まれた二色回転要素を備えた回転要素シート材が記載されている。二色回転要素の１つのセグメントは、流体に接触し、電場が存在する場合の電荷が他のセグメントよりも大きくなる。したがって、加電場の特定の極性については、１つのセグメントがディスプレイ観察者のほうへ回転し、その観察者に見えるようになる。電場の反対の極性を加えると、回転要素が回転し、他のセグメントが観察者に見えるようになる。
【００１３】
米国特許第４、１４３、１０３号には、閾値応答として、加電場に対する二色回転要素の応答が記載されている。すなわち、外部場が増加するのに伴い、二色回転要素は閾値電圧に達するまで静止状態を維持し、閾値電圧に達すると、初期の位置から回転を開始する。その回転量は、１８０度の回転が達成されるまでは電場が増加するに従って増加することになる。１８０度の回転を生じる外部場の値は、フルアドレッシング電圧と呼ばれる。
【００１４】
二色回転要素の外部電場に対する応答パターンは、回転要素シート材上に画像を作成するのに利用できるアドレッシングの種類を決定づける。当該技術分野では、３種類の表示用アドレッシングスキームが知られている。これらのうちの第１のアドレッシングスキームはアクティブマトリックスアドレッシング（active matrix addressing）で、ディスプレイの特性に対する制約が最も少ない。
【００１５】
アクティブマトリックスアドレッシングでは、表示の画素毎に個別のアドレッシング電極が提供され、これら電極の各々にはアドレッシング電圧が連続的に供給される。アドレッシングフレーム（addressing frame）毎に電圧の完全セットを変更することができる。この種類のアドレッシングは、表示媒体の特性に対する制約が最も少ないが、アクティブマトリックスアドレッシングは最も高価で、最も複雑で、最もエネルギー効率の低いタイプのアドレッシングである。
【００１６】
第２の種類のアドレッシングスキームは、パッシブマトリックスアドレッシング（passive matrix addressing）である。パッシブマトリックスアドレッシングは２セットの電極を、表示媒体の各々の側に１セットずつ使用する。典型的には、これらのうちの１つは水平導線から構成され、もう一方は垂直導線から構成されている。ディスプレイの前面またはウィンドウ上の導線は必然的にアスペクト透明（アスペクトトランスペアレント：aspect transparent）である（透明な様相を有する）。表示媒体をアドレッシングするために、水平導線に電圧をかけるとともに、垂直導線に電圧をかける。これらの２つの導線の共通部分に位置する媒体のセグメントは、これら２つの電圧の和に等しい電圧を受ける。通常はそうであるように、それらの電圧が等しい場合は、各々の導線に隣接し、それらの導線の共通部分に位置しない媒体の領域は、導線の共通部分に位置する媒体領域が受ける電圧の二分の一の電圧を受ける。パッシブアドレッシングは、表示媒体の画素はそれらの光学的状態を変化させるのに必要な分だけアドレッシングされるため、さほど複雑でなく、比較的エネルギー効率が高い。しかし、パッシブマトリックス表示によってアドレッシングが可能な媒体に対する要件は、アクティブマトリックスの場合よりもはるかに厳しい。その媒体は、全アドレッシング電圧に対して完全に応答しなければならないが、全アドレッシング電圧の二分の一に応答してはならない。これは、閾値応答挙動と呼ばれる。その媒体は、連続的に電圧を加えることなく、アドレッシング電極によって切り換えられたいかなる光学的状態をも維持しなければならない。すなわち、電力を用いずに画像を記憶する必要がある。パッシブアドレッシングは、最も広く使用されるディスプレイのアドレッシング方法で、最も低コストである。
【００１７】
第３の種類のアドレッシングは、シート材の表面を移動することが可能な棒の形のアドレッシング電極の直線形アレイから構成される。このような形式のアドレッシングでは、シート材を接地電極の上に配置するか、またはそれに接地電極を導入し、棒と回転要素シート材との間に薄いウィンドウを配置することによって棒の移動による機械的損傷からシート材を保護する。棒はシート材の上を移動しながら、短時間の間にシート材の特定の画素に電圧を加え、棒が表面で走査される毎にフル画像を生成する。この方法の１つの変形形態において、アドレッシング棒はウィンドウの表面にイメージワイズの電荷（イメージワイズチャージ：image-wise charge）を滞積させる。
【００１８】
そこで、この形式のアドレッシングによるシート材に対する要件は、どの種類のアドレッシング棒が使用されるかに応じて決まる。アドレッシング棒が表面を移動しながらシート材に電圧を加えるだけであれば、回転シート材は閾値挙動を示す必要がある。したがって、アドレッシング棒電極の真下のシート材の領域は、全アドレッシング電圧が加えられるときに、アスペクトに電荷を受けなければならないが、棒が画素の次の画素列に移動するときは、シート材のその同じ領域は、移動するアドレッシング棒によりシート材が受ける減衰電圧に応答してはならない。パッシブアドレッシングと同様に、これには、シート材がシャープな閾値応答を有する必要がある。このアドレッシング棒は、また、アドレッシング棒電極がその近傍を移動する間にアスペクトが完全に変化することを必要とし、それによって通常は表示フレームアドレッシング速度が制限される。「Ｃｈａｒｇｅ Ｒｅｔｅｎｔｉｏｎ Ｉｓｌａｎｄ Ｆｏｒ Ｅｌｅｃｔｒｉｃ Ｐａｐｅｒ Ａｎｄ Ａｐｐｌｉｃａｔｉｏｎｓ Ｔｈｅｒｅｏｆ」という名称で、本出願と同じ譲受人が譲受した、ホワード等による米国特許第６、２２２、５１３号には、この効果により媒体の切換え速度の要件を著しく緩和するアドレッシング電極の構成が記載されている。
【００１９】
米国特許第６、２２２、５１３号において、アドレッシング棒は、シート材の表面またはその近傍にイメージワイズの電荷を滞積する。その電荷滞積アドレッシング法により、シート材に対する要件が緩和される。シート材は、それ独自の速度で滞積電荷に関連する電圧に応答しうるため、表面上でのアドレッシング棒の速度は、それがイメージワイズの電荷を滞積しうる速度によってのみ制限される。閾値応答挙動はさほど重要ではないが、シート材上に滞積されたイメージワイズの電荷が短時間のうちに漏出することが予測されるため、画像を格納する能力は重要である。しかし、シート材上またはその近傍にイメージワイズの電荷を滞積させることのできるアドレッシング棒は大きくなりがちで、単に電圧をイメージワイズに直接印加する棒に比べて効果である。
【００２０】
ＩＩ．Ｂ．  多値アスペクトによる回転要素
多値アスペクトによる回転要素は、一般に、本願に引用して援用する米国特許第５、８９４、３６７号に開示されている方法で作製される。先行技術の多値アスペクトによる例示的な回転要素１０を図７に示す。図７および図８の回転要素１０は、アスペクト透明の覆い（クラディング：cladding）１３７の内部のコア１４０から構成される。図７および図８のコア１４０はプリズム状で、四角柱として描かれている。本明細書で用いられる「プリズム状」という言葉は、末端の寸法および形状が実質的に同じであるとともに実質的に平行であり、残りのサイドは各々実質的に平行四辺形である多面体を意味する。コア１４０を通して回転軸を中心とした回転要素１０の向きで応じて、回転要素１０は、好適に位置する観察者に対して、第１のアスペクト面１４２、第２のアスペクト面１４４、第３のアスペクト面１４６または第４のアスペクト面１４８を示すことになる。図７では、回転要素１０の半球の図によって第１のアスペクト面１４２および第２のアスペクト面１４４が示され、図８では、回転要素１０のもう１つの半球の図によって第３のアスペクト面１４６および第４のアスペクト面１４８が示されている。回転要素１０をアドレッシングするために、回転要素１０が誘電性液体（図示せず）に接触したときに、第１の塗膜１３０が第２の塗膜１３５に対して正味負電荷「−」を有するように、第１のアスペクト面１４２の上に位置するアスペクト透明の覆い１３７の面は第１のゼータ電位の第１の塗膜１３０を有し、第３のアスペクト面１４６の上に位置するアスペクト透明の覆い１３７の面は第２のゼータ電位の第２の塗膜１３５を有する。アスペクト透明の覆い１３７を用いなくても回転要素１０を作製できることを当業者なら理解するはずである。したがって、回転要素１０は、好適に位置する観察者に対して４つのアスペクトを示すために塗膜または材料を好適に選択すれば、実質的に円筒状のコアを備えていればよい。
【００２１】
図９および図１０には多値アスペクトによる回転要素の他の実施形態が示されており、それはアスペクト透明の覆い１３７内のコア１５０から構成されている。図９および図１０のコア１５０はプリズム状で、三角柱として描かれている。ここでも、コア１５０を通して回転軸を中心とした回転要素１０の向きで応じて、回転要素１０は、好適に位置する観察者に対して、第１のアスペクト面１５２、第２のアスペクト面１５４または第３のアスペクト面１５６を示すことになる。図９では、回転要素１０の半球の図によって第１のアスペクト面１５２および第２のアスペクト面１５４が示され、図１０では、回転要素１０のもう１つの半球の図によって第３のアスペクト面１５６および第１のアスペクト面１５２が示されている。回転要素１０をアドレッシングするために、回転要素１０が誘電性液体（図示せず）に接触したときに、第１の塗膜１３０が第２の塗膜１３５に対して正味負電荷「−」を有するように、第１のアスペクト面１５２の上に位置するアスペクト透明の覆い１３７の面は第１のゼータ電位の第１の塗膜１３０を有し、第３のアスペクト面１５６と第２のアスペクト面１５４が接する頂端の上に位置するアスペクト透明の覆い１３７の面は、第２のゼータ電位の第２の塗膜１３５を有する。ここでも、アスペクト透明の覆い１３７を用いなくても回転要素１０を作製できることを当業者なら理解するはずである。したがって、回転要素１０は、好適に位置する観察者に対して３つのアスペクトを示すために塗膜または材料を好適に選択すれば、実質的に円筒状のコアを備えていればよい。
【００２２】
米国特許第５、８９４、３６７号は、回転要素において望まれる材料の拡大した部分を保有するマイクロスコピックディスプレイエレメントから回転要素１０を作製することが記載されている。次いで、その構成材料の部分を保護するために、そのマイクロスコピックディスプレイエレメントを処理して拡張フィラメントを形成する。この技術は光ファイバおよびチャネル電子増倍器（チャネルエレクトロンマルティプライヤ：channel electron multiplier）の製造に使用されてきたことを理解するはずである。
【００２３】
多値アスペクトによる回転要素は、一般に回転要素シート材に利用され、アドレッシングに傾斜ベクトル場（カンテッドベクトルフィールド：canted vector field）を使用する。傾斜ベクトル場は、三次元空間における任意の方向を指すように、回転要素の部分集合体の近傍の向きベクトルを設定することが可能なベクトル場である。参照により本明細書に取り込まれた米国特許第５、７１７、５１５号には、回転要素をアドレッシングするための傾斜ベクトル場の使用が開示されている。回転要素が上述のアドレッシング極性を有する場合には、回転要素シート材５０に傾斜ベクトル場を使用することによって、回転要素の部分集合体の向きをアドレッシングする上で完全な自由が与えられる。図７から図１１には、四価アスペクトおよび傾斜ベクトル場を有する回転要素をアドレッシングに利用する例示的なシステムが示されている。
【００２４】
図１１において、無場集合体１６０は、ベクトル場１００が零の大きさを有するときのベクトル場１００の近傍における任意に配向した回転要素の部分集合体である。無場集合体１６０において、回転要素は任意の向きを有する。したがって、無場集合体１６０の場合は、観察者６０は、無秩序に配列された第１のアスペクト面１４２、第２のアスペクト面１４４、第３のアスペクト面１４６および第４のアスペクト面１４８の表面の組み合わせの外観を認識する。ここでも、インフラ層５５はアスペクトの背景を形成する。
【００２５】
図１２および図１３は、図１１に導入されたシステムの第２のアスペクト集合体１６４を示す図である。第２のアスペクト集合体１６４において、観察者６０は、第２のアスペクト面１４４の組み合わせの統合的な外観を認識する。第２のアスペクト集合体１６４において、すべての回転要素は、第１のアスペクト面１４２が矢印１０５によって示される方向を向くように配向する（矢印１０５は傾斜ベクトル場１００の方向を示す）。図１２は、観察者６０、第２のアスペクト集合体１６４およびインフラ層５５の相対位置を示す側面図である。図１３は、上面の視点から見た第２のアスペクト集合体１６４の代替図である。
【００２６】
ここでも、回転要素１０と例えばキャビティ壁（図示せず）のような基板構造との間の引力に関連するエネルギーにより、加ベクトル場１００が取り除かれた後も、第４のアスペクト集合体１６８はそのアスペクトを保持することを当業者なら理解するはずである。このエネルギーは、一部には、本願に引用して援用する米国特許第４、１２６、８５４号に開示されているように、切換え特性および回転要素シート材５０の記憶容量に寄与する。
【００２７】
さらに、矢印１０５によって示されるようなベクトル場１００の好適な向きでより、観察者６０は、４つのアスペクト面の任意のアスペクト面を観察することができる。
【００２８】
ＩＩ．Ｃ．多値アスペクトおよび磁気ラッチングによる回転可能エレメント
３つ以上のアスペクトおよび傾斜アドレッシングベクトル場による回転要素を利用するときは、アドレッシングされるアスペクトが、観察されているそのアスペクトについて最大限の視界を提供する向きで関して安定するようにすることが望ましい。これを達成する１つの方法が、本願に引用して援用する「Ｇｙｒｉｃｏｎ ｄｉｓｐｌａｙｓ ｕｔｉｌｉｚｉｎｇ ｒｏｔａｔｉｎｇ ｅｌｅｍｅｎｔｓ ａｎｄ ｍａｇｎｅｔｉｃ  ｌａｔｃｈｉｎｇ」という名称の米国特許第６、１４７、７９１号に開示されている。米国特許第６、１４７、７９１号に開示された発明に該当する多面（マルチアスペクト：multiaspect）回転要素を図１４および図１５に示す。図１４および図１５の回転要素は、図７から図１０に示され、既に説明した回転要素と類似している。しかし、図１４および図１５の回転要素は、好ましくはアスペクト面の頂端または交差部に位置する回転可能ラッチング構成部１７０をも備える。図１４は、４つのアスペクトと４つの回転可能ラッチング構成部１７０を備えた回転要素を示す図である。図１５は、３つのアスペクトと３つの回転可能ラッチング構成部１７０を備えた回転要素を示す図である。回転要素に収容された回転可能ラッチング構成部１７０は、本願に引用して援用する米国特許第６、１４７、７９１号に開示されているように、硬質磁性体を含むのが好ましい。「硬質」磁性体とは、強磁性体の如く、外部場が存在しない状態で一定の残留磁気を示す磁性体である。観察されているアスペクトについて最大限の視界を提供するとともに、図１４および図１５の回転要素を取り入れた回転要素シート材を図１６および図１７に示す。図１６は、図１４の回転要素１０を含む回転要素シート材５０を示す図で、それにはシートラッチング構成部１７２が含まれる。同様に、図１７は、シートラッチング構成部１７２を有する、図１５の回転要素１０を含む回転要素シート材５０を示す図である。シートラッチング構成部１７２は軟質磁性体、または常磁性または超常磁性体の如き、外部場が存在しない状態ではあまり大きな磁性を示さない材料を含む。図１６および図１７に示されるように、回転可能ラッチング構成部１７０とシートラッチング構成部１７２の間に存在する磁場は、回転可能ラッチング構成部１７０とシートラッチング構成部１７２の間の距離を最小にする向き以外の任意の向きについて回転要素の回転軸の周りにトルクを引き起こすことになる。
【００２９】
回転可能ラッチング構成部１７０およびシートラッチング構成部１７２は、回転要素１０と例えばキャビティ壁（図示せず）のような基板構造との間の引力に関連する「仕事関数（ワークファンクション：work function）」に寄与し、さらにアスペクト安定性に寄与することも、当業者なら理解するはずである。ここでも、このエネルギーは、一部に、本願に引用して援用する米国特許第４、１２６、８５４号に開示されているように、切換え特性、および回転要素シート材５０の記憶容量に寄与することになる。
【００３０】
ＩＩ．Ｄ．パリティベクトル
図７から図１７に示されるような多面回転要素に関連する追加的なパラメータが存在することを当業者なら理解するはずである。具体的には、アドレッシングに傾斜ベクトル場を利用する当該多面回転要素は「パリティベクトル」を示すことになる。パリティベクトルは、多面回転要素の回転軸に平行なベクトルで、例えばパリティベクトルを中心とした時計回りの回転が進行しているときに多面面の特定の順序に関連する方向性を有することになる。一実施形態におけるパリティベクトル２７０を図１８および図１９に示す。専ら例示のために、第１のアスペクト面１４２が赤色のアスペクトを示し、第２のアスペクト面１４４が緑色のアスペクトを示し、第３のアスペクト面１４６が青色のアスペクトを示し、第４のアスペクト面１４０が白色のアスペクトを示すように図１８および図１９の回転要素１０を構成する。これは、図１８および図１９において、それぞれ「Ｒ」、「Ｇ」、「Ｂ」および「Ｋ」のラベルを用いて示されている。パリティベクトル２７０は回転軸に平行で、図１８および図１９において、（矢印２７１によって示される）時計回りの回転により、好適に位置する観察者６０（図１８）に対して「Ｒ」、「Ｋ」、「Ｂ」、「Ｇ」、「Ｒ」・・・の順序で示される場合に、回転要素の軸から外に誘導されるベクトルと同じ方向になるように選択される。よって、パリティベクトル２７０は、回転軸に平行で、（矢印２７３によって示される）反時計回りの回転により、好適に位置する観察者６０（図１９）に対して「Ｒ」、「Ｋ」、「Ｂ」、「Ｇ」、「Ｒ」・・・の順序で示される場合に、回転要素の軸へと誘導されるベクトルと同じ方向になるように選択される。
【００３１】
傾斜ベクトル場を用いて複数の多面回転要素をアドレッシングする場合は、回転要素シート材におけるすべての回転要素が同一方向のパリティベクトルを示すことが重要である。そのことが重要なのは、複数の回転要素のすべてのパリティベクトルが同一方向にある場合にのみ、図１２および図１３のように例えば右側に誘導される傾斜ベクトル場によって複数の回転要素が同一のアスペクト面を示すためである。複数の回転要素に同一のパリティベクトルを共用させる１つの方法は、回転要素の製造時で、かつ基板内の複数のキャビティに複数の回転要素を配置させる前にパリティベクトルに沿って回転要素を磁性化することによるものである。図２０に示されるように、複数の回転要素を基板内に配置させる場合は、回転要素は、磁極、つまりはパリティベクトルに従って容易に復元されうる。よって、回転要素を基板内に固定し、（電場のような）アドレッシングベクトル場によってアドレッシングする準備が整った後に、回転要素は複数のパリティベクトル２７０に対して同一の方向を示すことになる。
【００３２】
ＩＩ．Ｅ．仕事関数
上述したように、回転要素シート材の有益な特性は、アドレッシングのための加ベクトル場１００が取り除かれた後でも特定のアスペクトを保持する機能である。この機能は、一部には、本願に引用して援用する米国特許第４、１２６、８５４号に開示されているように、切換え機能、および回転要素シート材５０の記憶容量に寄与する。これをアスペクト安定性と呼ぶ。上述の実施形態におけるアスペクト安定性のためのメカニズムは、一般には、回転要素と格納構造体の間の引力に関連するエネルギー、または「仕事関数」である。回転要素に接触する作動化流体の表面張力、作動化流体に対する回転要素の比重、格納構造体に接触する回転要素上の電荷の大きさ、作動化流体および格納構造体の相対電子誘導率、格納構造体の「粘着性」、ならびに存在しうる他の残留場などを含む（ただし、それらに限定されない）多くの要因が、仕事関数に関連するエネルギーの規模に影響を及ぼす。アドレッシングのための加ベクトル場は、向き変化を生じるためには仕事関数に打ち勝つほど強力でなければならず、さらに仕事関数は、アドレッシングのための加ベクトル場が存在しない状態でこのアスペクトを保持するほど強力でなければならない。
【００３３】
図２１は、先行技術についての、向きを変える回転要素の数１８０、Ｎを加ベクトル場１０２、Ｖの関数として示した例示的な図である。仕事関数１８４、ＶWは、向きを変える回転要素の数１８０が、すべての回転要素１０の向き変化に対応する飽和レベル１８６、ＮSに達したときの加ベクトル場１０２の値に対応する。
【００３４】
ＩＩ．Ｆ．アドレッシングへの磁場の使用
ある領域に磁場を案内する１つの方法が図２２に示されている。電流ループ（カレントループ：current loop）１９４に導入された電流１９０、Ｉは磁場を形成することを当業者なら理解するはずである。電流１９０および電流ループ１９４に関連する例示的な磁束線１９６も示されている。ある領域（図示せず）に磁場を案内する他の方法としては、強磁性体から構成される触針のような固有の磁性を示す物質を該領域に案内する。
【００３５】
ここでも、ベクトル場によって回転要素をアドレッシングするためにはベクトル場は、仕事関数に打ち勝つのに十分なエネルギーを提供する必要がある。従来の方法では、このエネルギーは、双極子とベクトル場の相互作用によって提供されていた。ベクトル場Ｖにおける双極子ｄの相互作用に関連するエネルギーＵは、以下のように、双極子ｄとベクトル場Ｖとのドット積として表すことができることを当業者なら理解するはずである。
【００３６】
Ｕ＝−ｄ・Ｖ
リー（Ｌ．Ｌ．Ｌｅｅ、「Ａ Ｍａｇｎｅｔｉｃ Ｐａｒｔｉｃｌｅｓ Ｄｉｓｐｌａｙ」ＩＥＥＥ Ｔｒａｎｓ．Ｏｎ Ｅｌｅｃｔ．Ｄｅｖｉｃｅｓ、Ｖｏｌ．ＥＤ−２２、第９号、１９７５年９月、およびＬ．Ｌ．Ｌｅｅ、「Ｍａｔｒｉｘ Ａｄｄｒｅｓｓｅｄ Ｍａｇｎｅｔｉｃ Ｐａｒｔｉｃｌｅｓ Ｄｉｓｐｌａｙ」ｉｎ １９７７ Ｓｏｃ．Ｆｏｒ Ｉｎｆｏｒｍａｔｉｏｎ Ｄｉｓｐｌａｙ Ｉｎｔｅｒｎａｔｉｏｎａｌ Ｓｙｍｐｏｓｉｕｍ、Ｄｉｇｅｓｔ ｏｆ Ｔｅｃｈｎｉｃａｌ Ｐａｐｅｒｓ、Ｂｏｓｔｏｎ、１９７７年４月）は、回転要素が磁場による磁性双極子を有する捩り回転要素ディスプレイ（トウィスティングロテーティングエレメントディスプレイ：twisting rotating element display）のアドレッシングについて記載している。１９６２年５月に公布された米国特許第３、０３６、３８８号（テートによる）では、所定の磁極に対応する黒色および白色面を有する磁化粒子から構成されるディスプレイをアドレッシングする磁性双極子よりなる触針を使用している。ナカニシ等による米国特許第５、４１１、３９８号「Ｍａｇｎｅｔｉｃ Ｄｉｓｐｌａｙ Ｓｙｓｔｅｍ」には、油に分散され、次にある層内に配列されたマイクロカプセルに収容される黒色の強磁性粒子および白色の非磁性粒子から構成されるディスプレイをアドレッシングする磁性双極子の使用法が記載されている。磁性双極子を適用すると、黒色の強磁性粒子がマイクロカプセルの後方に押しつけられて白色粒子のみが認識され、あるいはマイクロカプセルの前方に引きつけられて、ほとんど黒色の強磁性粒子のみが観察者に認識されるようになる。
【００３７】
したがって、好適に位置する観察者に対するアスペクトを生成するために、回転要素シート材をアドレッシングする代替的な形式を利用することが依然として望まれる。
【００３８】
【課題を解決するための手段】
第１の実施形態において、本発明の回転要素シート材は、基板内に配置され、作動化流体に接触する複数の回転要素を備え、該複数の回転要素の少なくとも１つは、第１の向きで入力電磁気エネルギーへの第１の応答を、かつ第２の向きで入力電磁気エネルギーへの第２の応答を示すように形成されたコアであって、該第１の向きおよび該第２の向きは該回転要素の軸を中心とした回転変換によって関連づけられ、該作動化流体に接触する該回転要素は、さらに第１のベクトル場に応答するように構成された第１のアドレッシング双極子と、第２のベクトル場に応答するように構成された第２のアドレッシング双極子とを示すように構成され、該第１のアドレッシングおよび該第２のアドレッシングは、該回転要素が、第１の方向にある該第１のベクトル場の該第１の応答と、該第１の方向にある該第２のベクトル場の該第２の応答を示すように構成される。
【００３９】
第２の実施形態において、本発明に適合するシステムは、上述の回転要素シート材と、アドレッサ、第１のオーバーレイおよび第２のオーバーレイを備えたアドレッシングシステムとを備え、該アドレッシングシステムは、該回転要素のアドレッシング双極子により複数の回転要素の部分集合体の向きで影響を及ぼすことが可能なアドレッシングベクトル場を案内する。
【００４０】
本発明の第３の実施形態において、上述の回転要素シート材をアドレッシングする方法は、第１のベクトル場と第２のベクトル場を導入することを含む。
【００４１】
本発明の回転要素シート材は、基板と、作動化流体と、前記基板内に配置され、かつ前記作動化流体に接触する複数の実質的に円柱状の回転要素と、を備えた回転要素シート材であって、前記複数の回転要素の１つが、入力電磁気エネルギーへの第１の応答を第１の向きで、入力電磁気エネルギーへの第２の応答を第２の向きで示すように構成されたコアであって、前記第１の向きおよび前記第２の向きが該コアの軸を中心とした回転変換によって関連づけられるコアを備え、前記作動化流体に接触する前記回転要素は、電気ベクトル場に相互作用するアドレス可能電気双極子、および磁気または電磁ベクトル場に相互作用するアドレス可能磁気双極子を示すように構成され、前記回転要素および前記アドレス可能電気双極子は、前記回転要素が、実質的に前記軸に垂直な第１の方向に方向づけられた前記電気ベクトル場において、前記第１の応答を示すように構成され、前記回転要素および前記アドレス可能磁気双極子は、さらに、前記回転要素が、前記第１の方向に方向づけられた前記磁気または電磁ベクトル場において、前記第２の応答を示すように構成されることを特徴とする。
【００４２】
本発明の回転要素シート材をアドレッシングする方法は、基板と、作動化流体と、前記基板内に配置され、かつ前記作動化流体に接触する複数の実質的に円柱状の回転要素と、を備える回転要素シート材を用いるステップと、該複数の回転要素の１つは、入力電磁気エネルギーへの第１の応答を第１の向きで、入力電磁気エネルギーへの第２の応答を第２の向きで示すように形成されたコアであって、前記第１の向きおよび前記第２の向きはコアの軸を中心とした回転変換によって関連づけられるコアを備え、前記作動化流体に接触する前記回転要素は、電気ベクトル場に結合するアドレス可能電気双極子、および磁気または電磁ベクトル場に結合するアドレス可能磁気双極子を示すように構成され、前記回転要素および前記アドレス可能電気双極子は、前記回転要素が、実質的に前記軸に垂直な第１の方向に方向づけられた前記電気ベクトル場において、前記第１の応答を示すように構成され、前記回転要素および前記アドレス可能磁気双極子は、さらに、前記回転要素が、前記第１の方向に方向づけられた前記磁気または電磁ベクトル場において、前記第２の応答を示すように構成され、更に、前記第１の方向の前記電気ベクトル場を、導入するステップと、を含むことを特徴とする。
【００４３】
本発明の回転要素シート材を作成する方法は、基板内に配置され、かつ作動化流体に接触する複数の回転要素を用いるステップと、該複数の回転要素の１つは、入力電磁気エネルギーへの第１の応答を第１の向きで、入力電磁気エネルギーへの第２の応答を第２の向きで示すように形成されたコアであって、前記第１の向きおよび前記第２の向きは該コアの軸を中心とした回転変換によって関連づけられるコアを備え、前記作動化流体に接触する前記回転要素は、電気ベクトル場に結合するアドレス可能電気双極子、および磁気または電磁ベクトル場に相互作用するアドレス可能磁気双極子を示すように構成され、前記回転要素および前記アドレス可能電気双極子は、前記回転要素が、実質的に前記軸に垂直な第１の方向に方向づけられた前記電気ベクトル場に第１の応答を示すように構成され、前記回転要素および前記アドレス可能磁気双極子は、さらに、前記アドレス可能磁気双極子が前記軸に平行になるように構成され、前記第１の方向の前記電気ベクトル場と、前記軸と前記第１の方向の両方に対して実質的に垂直な前記第２の方向の前記磁気または電磁ベクトル場と、を同時に供給するステップと、該磁気または電磁ベクトル場は、前記アドレス可能磁気双極子が、前記第１の方向と前記軸の両方に対して実質的に垂直な前記第２の向きになるように前記アドレス可能磁気双極子を再度方向づけるために、前記アドレス可能磁気双極子に相互作用するように構成されている、ことを含むことを特徴とする。
【００４４】
【発明の実施の形態】
次に、添付の図面に例示されている本発明に適合する実施態様について詳細に述べる。可能な限り、同一または類似箇所を説明するのに、図面および以下の説明を通じて同一の参照番号を使用する。本明細書に盛り込まれ、本明細書の一部を構成する添付の図面は、本発明の実施態様を例示し、本文とともに、本発明の効果および原理を説明するのに役立てられる。
【００４５】
Ａ．定義
本明細書で用いられる「アスペクト(aspect)」とは、対象となる入射電磁エネルギーに対する共通の応答を意味する。例えば、入射電磁エネルギーが可視スペクトル内にある場合は、第１のアスペクトは黒色の外観に対応し、第２のアスペクトは白色の外観に対応することになる。対象となる入射電磁エネルギーがＸ線領域内にある場合は、第１のアスペクトはＸ線エネルギーの透過に対応し、第２のアスペクトはＸ線エネルギーの吸収に対応することになる。さらに、「共通の応答」は、吸収、反射、分極、透過、蛍光、またはその組み合わせのいずれかを含みうる。
【００４６】
本明細書で用いられる「観察者(observer)」とは、知覚者、または対象となる電磁エネルギーに敏感な（センシティブな）装置と知覚者との組み合わせを意味する。対象となる電磁エネルギーが可視スペクトル内にある場合は、観察者とは知覚者を意味することになる。対象となる電磁エネルギーが可視スペクトル外にある場合は、観察者とは、電磁エネルギーに敏感で、かつ対象となるアスペクトを人間が知覚可能な形へと分解することが可能な装置を意味する。
【００４７】
本明細書で用いられる「径(diameter)」とは、任意のマイクロカプセル構造またはアスペクトエレメントの高さ、幅および深さのいずれかに対応する規模寸法（マグニチュードディメンジョン：magnitude dimension）を意味する。「径」が用いられていても、円形、球形または円筒形の幾何学構造のみが対象とされているわけではない。
【００４８】
本明細書で用いられる「ベクトル場(vector  field)」とは、空間内の振幅が大きさおよび方向を有することが可能な場を意味する。本発明において対象となるベクトル場としては、電場、磁場または電磁場が挙げられる。
【００４９】
本明細書で用いられる「仕事関数(work  function)」とは、変位を可能にするために、アスペクトエレメントとマイクロカプセル構造の間の引力に打ち勝つのに必要なエネルギーの量を意味する。上述したように、第２のアスペクトエレメントに接触する第１のアスペクト媒体の表面張力、第２のアスペクトエレメントに対する第１のアスペクト媒体の比重、第２のアスペクトエレメント上の電荷の大きさ、第１のアスペクト媒体およびマイクロカプセル構造の相対誘電率、マイクロカプセル構造の「粘着性」、ならびに存在しうる他の残留場など（ただし、それらに限定されない）を含む多くの要因が、仕事関数に関連するエネルギーの大きさに影響を及ぼす。
【００５０】
本明細書で用いられる「パリティベクトル（parity  vector)」とは、第２のベクトルと第１のベクトルとの（この順序での）ベクトル積の方向にあるベクトルであって、該第１のベクトルは回転軸からの第１のアスペクト面の方向によって定められ、該第２のベクトルは回転要素の回転軸からの第２のアスペクト面の方向によって定められるベクトルを意味する。場合によっては、回転可能エレメントのすべてのパリティベクトルが同一の方向にくるように、基板内に多面回転要素を構成するのが好ましいことを当業者なら理解するはずである。
【００５１】
本明細書で用いられる「プリズム状(prism-shaped)」という言葉は、その末端が実質的に同じ寸法および形状を有しているとともに、残りのサイドがそれぞれ実質的に平行四辺形である多面体を意味する。
【００５２】
Ｂ．回転要素の第１の実施形態
本発明の第１の実施形態に適合する回転要素２００を図２３および図２４に示す。図２３は、コア２４０およびアスペクト透明の覆い２３７からなる回転要素２００を示す図である。図２３および図２４におけるコア２４０はプリズム状で、四角柱として示されている。コア２４０は、図２３および図２４において、「磁北極」については符号「Ｎ」で表され、「磁南極」については符号「Ｓ」で表される磁性を、外部磁場が存在しない状態で示す物質をさらに備えている。しかし、磁性を示すように構成されるのは概して回転要素２００であることを当業者なら理解するはずである。よって、図２３および図２４は、磁性を示すものとしてコア２４０を示しているが、アスペクト透明の覆い２３７も、コア２４０に加えて、あるいは単独で、本発明に適合する磁性を示しうる。
【００５３】
図２３および図２４におけるコア２４０は、さらに、最大で４つのアスペクトを示すように構成される。図２３は、第１のアスペクト面２４２および第２のアスペクト面２４４が示される視点から回転要素２００を示す図である。図２４は、第３のアスペクト面２４６および第４のアスペクト面２４８が示される視点から回転要素２００を示す図である。図７および図８の回転要素１０に関して先に述べたように、回転要素２００が誘電性液体（図示せず）に接触しているときに、第１の塗膜２３０が第２の塗膜２３５に対して正味の負電荷「−」を有するように、第１のアスペクト面２４２の上に位置する図２３および図２４におけるアスペクト透明の覆い２３７の面は、第１のゼータ電位の第１の塗膜２３０を有し、第３のアスペクト面２４６の上に位置するアスペクト透明の覆い２３７の面は、第２のゼータ電位の第２の塗膜２３５を有する。
【００５４】
アスペクト透明な覆い２３７の好適な光学的透明材料としては、ポリカーボネートポリマー、アクリルポリマー、ならびにベーカーペトロライト社製ポリワックス１０００や三井石油化学工業株式会社製ＴＰＸの各種グレード品などのポリオレフィンポリマーが挙げられる。作動化流体に接触すると各々が異なるゼータ電位をもつことが期待できるため、これらは組み合わせて使用されることになる。本願に引用して援用する継続中の米国特許出願第０９／４２７、６５６号に記載されているように、これらの材料は、一般的に回転要素２００の他の部分の作製にも適している。回転要素２００に導入することのできる好適な磁性顔料としては、ライトインダストリーズ社（Ｂｒｏｏｋｌｙｎ、Ｎ．Ｙ．）製の磁性顔料タイプ０３１１８２があり、それは単独、あるいはアーカーケミカルのクレシルバイオレットブルー、ベーカーケミカルのロダミン６Ｇ、デュポンのロダミンＢＩ、デュポンのスプリットブルーＮＳ、デュポンのビクトリアブルーＢベース、アライドケミカルのイオソールブルー、イーストマンのアクリジンオレンジ、カルコオイルのブルーＮおよびカルコオイルのブラック、デュポンのＲ９００二酸化チタン、フェッロの６３３１ブラックピグメント、カボットモグルのＬカーボンブラック、ならびにカボットモナークの１０００カーボンブラックのような当業界で知られた他の顔料と組み合わせて使用される。
【００５５】
アスペクト透明の覆い２３７を用いることなく回転要素２００を作製できることを当業者なら理解するはずである。よって、好適に位置する観察者に対して４つのアスペクトを示すために塗膜または材料を好適に選択すれば、回転要素２００は実質的に円筒状のコアだけを含んでいればよい。
【００５６】
さらに、好適に位置する観察者がアスペクト透明の覆い２３７を通して第４のアスペクト面２４８を見ることができる場合には、第１の極、例えば「Ｎ」が回転要素２００の領域に対応し、好適に位置する観察者がアスペクト透明の覆い２３７を通して第２のアスペクト面２４４を見ることができる場合には、第２の極、例えば「Ｓ」が回転要素２００の領域に対応するように、回転要素２００によって示される磁性を構成する。よって、本発明の一実施形態に適合する回転要素２００は、回転要素２００が誘電性液体（図示せず）に接触している場合で、各双極子の各極が、アスペクト透明の覆い２３７内のコア２４０の４つのアスペクト面のうちの１つのアスペクト面に関連づけられる場合に、電気双極子と磁気双極子の両方を示すように構成される。図２５から図２８は、回転要素２００、および本発明の第１の実施形態に符合し、回転要素２００の４つの安定向きを例示するアドレッシングシステムを示す図である。
【００５７】
図２５から図２８のアドレッシングシステムは、コントローラ３３０、第１のオーバレイ５１０内の第１の電極３３２、ならびに第２のオーバレイ５２０内の第２の電極３３４および電流ループ３３６から構成される。第１のオーバレイ５１０および第２のオーバレイ５２０は、回転要素シート材の基板（図示せず）のいずれかの側に位置するように構成される。よって、回転要素２００は第１の電極３３２、第２の電極３３４および電流ループ３３６によって影響される領域内に収まることになる。コントローラ３３０は、選択的または同時に、第１の電極３３２と第２の電極３３４の間の電気極性、ならびに電流ループ３３６に関連する磁気極性を導入する。第１の電極３３２と第２の電極３３４の間の電気極性は、第１の電極３３２が第２の電極３３４に対して正味の負電荷を示し、または第１の電極３３２と第２の電極３３４の間の電気極性は、第１の電極３３２が第２の電極３３４に対して正味の正電荷を示すものでありうることを当業者なら理解するはずである。さらに、電流ループを流れる電流は、（所定の視点から）時計回りまたは反時計回りに移動するようにできることを当業者なら理解するはずである。
【００５８】
図２５は、第１の電極３３２が第２の電極３３４に対して（符号「−」で示される）正味の負電荷を有するようにコントローラ３３０が動作する場合の本発明の一実施形態におけるアドレッシングシステムおよび回転要素２００の安定構成を示す図である。よって、回転要素２００の安定向きは、誘電性液体に接触したときに正味の正電荷を示す回転要素２００の領域が第１の電極３３２に隣接し、誘電性液体に接触したときに正味の負電荷を示す回転要素２００の領域が第２の電極３３４に隣接するような向きである。第１の電極３３２と第２の電極３３４の間に導入された電場Ｅが、回転要素２００によって示される電気双極子ｐと、エネルギー−Ｅ・ｐが回転要素シート材の回転要素２００に伴って存在しうる任意の残留仕事関数より大きくなるように相互作用するときは、回転要素は図２５に示される以外の任意の向きでおいて正味のトルクを受けることを当業者なら理解するはずである。正味のトルクは、場合によっては、回転要素２００の表面における作動化流体（図示せず）の流れの不規則な波動に関連してベクトル場と相互作用する回転要素２００の正味の単極から生じることもある。よって、図２５における観察者６０は、第３のアスペクト面２４６を観察するのに好適な位置に配置される。
【００５９】
図２６は、第１の電極３３２が第２の電極３３４に対して（符号「＋」で示される）正味の正電荷を有するようにコントローラ３３０が動作する場合の本発明の一実施形態におけるアドレッシングシステムおよび回転要素２００の安定構成を示す図である。よって、回転要素２００の安定向きは、誘電性液体に接触したときに正味の負電荷を示す回転要素２００の領域が第１の電極３３２に隣接し、誘電性液体に接触したときに正味の正電荷を示す回転要素２００の領域が第２の電極３３４に隣接するような向きである。ここでも、第１の電極３３２と第２の電極３３４の間に導入された電場Ｅが、回転要素２００によって示される電気双極子ｐと、エネルギー−Ｅ・ｐが回転要素シート材の回転要素２００に伴って存在しうる任意の残留仕事関数より大きくなるように相互作用するときは、回転要素２００は図２６に示される以外の任意の向きでおいて正味のトルクを受けることを当業者なら理解するはずである。正味のトルクは、場合によっては、回転要素２００の表面における作動化流体（図示せず）の流れの不規則な波動に関連してベクトル場と相互作用する回転要素２００の正味の単極から生じることもある。よって、図２６における観察者６０は、第１のアスペクト面２４２を観察するのに好適な位置に配置される。
【００６０】
図２７は、観察者６０の視点から反時計回り（矢印３３７の方向）の電流ループ３３６に電流が導入されるようにコントローラ３３０が動作する場合の本発明の一実施形態におけるアドレッシングシステムおよび回転要素２００の安定構成を示す図である。よって、回転要素２００の安定向きは、「Ｓ」磁性を示す回転要素２００の領域が電流ループ３３６に隣接するような向きである。電流ループ３３６の上に導入される磁場Ｂが、回転要素２００によって示される磁気双極子ｄと、エネルギー−ＢＤが回転要素シート材の回転要素２００に伴って存在しうる任意の残留仕事関数より大きくなるように相互作用するときは、回転要素２００は図２７に示される以外の任意の向きでおいて正味のトルクを受けることを当業者なら理解するはずである。この場合、正味のトルクは、回転要素２００の表面における作動化流体（図示せず）の流れの不規則な波動に関連して回転要素２００の双極子と相互作用する磁場の勾配特性により生じうることを当業者なら理解するはずである。よって、図２７における観察者６０は、第４のアスペクト面２４８を観察するのに好適な位置に配置される。
【００６１】
図２８は、観察者６０の視点から時計回り（矢印３３９の方向）の電流ループ３３６に電流が導入されるようにコントローラ３３０が動作する場合の本発明の一実施形態におけるアドレッシングシステムおよび回転要素２００の安定構成を示す図である。よって、回転要素２００の安定向きは、「Ｎ」磁性を示す回転要素２００の領域が電流ループ３３６に隣接するような向きである。電流ループ３３６の上に導入される磁場Ｂが、回転要素２００によって示される磁気双極子ｄと、エネルギー−ＢＤが回転要素シート材の回転要素２００に伴って存在しうる任意の残留仕事関数より大きくなるように相互作用するときは、回転要素２００は図２８に示される以外の任意の向きでおいて正味のトルクを受けることを当業者なら理解するはずである。ここでも、正味のトルクは、場合によっては、回転要素２００の表面における作動化流体（図示せず）の流れの不規則な波動に関連して回転要素２００の双極子と相互作用する磁場の勾配特性により生じうることを当業者なら理解するはずである。よって、図２８における観察者６０は、第２のアスペクト面２４４を観察するのに好適な位置に配置される。
【００６２】
図１１から図１３に示される先行技術の回転要素の集合体と同様に、図２９から図３３は、本発明に適合する回転要素２００、およびアドレッシングベクトル場を示す図である。
【００６３】
図２９において、無場集合体２６０は、第１のベクトル場３００および第２のベクトル場３２０が零の大きさを有する場合における第１のベクトル場３００および第２のベクトル場３２０の近傍の任意に配向した回転要素の部分集合体を示す。無場集合体２６０において、回転可能エレメントは任意の向きを有する。したがって、観察者６０は、無場集合体２６０の場合には、無秩序に配列した第１のアスペクト面２４２、第２のアスペクト面２４４、第３のアスペクト面２４６および第４のアスペクト面２４８の表面の組み合わせの外観を認識する。インフラ層５５はアスペクトの背景を形成する。
【００６４】
図３０および図３１は、図２９に取り入れられたシステムの第３のアスペクト集合体２６６を示す図である。第３のアスペクト集合体２６６において、観察者６０は、第３のアスペクト面２４６の組み合わせの統合的な外観を認識する。第３のアスペクト集合体２６６において、すべての回転要素は、第３のアスペクト面２４６が矢印３０５によって示される方向に方向づける（矢印３０５は第１のベクトル場３００の方向を示す）。図３０および図３１において、第２のベクトル場３２０の大きさは零である。図３０は、観察者６０、第３のアスペクト集合体２６６およびインフラ層５５の相対位置を示す側面図である。図３１は、上部の視点から見た第３のアスペクト集合体２６６の代替図である。図３１において、符号
【数２】
0004398621.tif 000003
は、同図の平面から外に向かう矢印を示す。
【００６５】
図３２および図３３は、図２９に取り入れられたシステムの第４のアスペクト集合体２６８を示す図である。第４のアスペクト集合体２６８において、観察者６０は、第４のアスペクト面２４８の組み合わせの統合的な外観を認識する。第４のアスペクト集合体２６８において、すべての回転要素は、第４のアスペクト面２４８が矢印３０７によって示される方向に方向づける（矢印３０７は第２のベクトル場３２０の方向を示す）。図３２および図３３において、第１のベクトル場３００の大きさは零である。図３２は、観察者６０、第４のアスペクト集合体２６８およびインフラ層５５の相対位置を示す側面図である。図３３は、上部の視点から見た第４のアスペクト集合体２６８の代替図である。図３３において、符号
【数３】
0004398621.tif 000004
は、同図の平面から外に向かう矢印を示す。
【００６６】
第３のアスペクト集合体２６６および第４のアスペクト集合体２６８は、回転要素２００と、例えばキャビティの壁（図示せず）のような基板構造との間の引力に関連するエネルギーにより、加えられた第１のベクトル場３００および加えられた第２のベクトル場３２０が取り除かれた後でもそれらのアスペクトを維持することを当業者なら理解するはずである。このエネルギーは、一部には、本願に引用して援用する米国特許第４、１２６、８５４号に開示されているように、切換え特性、および回転要素シート材５０の記憶容量に寄与する。さらに、第１のベクトル場３００または第２のベクトル場３２０の方向はインフラ層５５の方向にも含まれ、第１のアスペクト面２４２または第２のアスペクト面２４４を観察者６０に対して交互に示すことができることを当業者なら理解するはずである。
【００６７】
さらに、第１のアスペクト面、第２のアスペクト面、第３のアスペクト面、または第４のアスペクト面のみとしての回転要素シート材の１つの領域をアドレッシングするために、複数の回転要素２００に関連する複数のパリティベクトルを同一方向で組み合わせる必要がないことを当業者なら理解するはずである。本発明のこのような特徴は、回転要素２００の４つのすべてのアスペクトを示すためにアドレッシングを傾斜ベクトルとする必要がないことによるものである。回転要素のすべての回転軸が平行であることが好ましいが、利用可能な２つの方向のうちのいずれか１つの方向にパリティベクトルを任意に配向させることができる。したがって、これにより、本発明に適合する回転要素シート材の構造をより単純にすることが可能になる。さらに、ここでも、すべてのアスペクトをアドレッシングするために傾斜ベクトルを必要としないことにより、ラッチング構成部を必要としないことを当業者なら理解するはずである。
【００６８】
Ｃ．回転要素の第２の実施形態
本発明の第２の実施形態に適合する回転要素２１０を図３４および図３５に示す。図３４は、コア２５０とアスペクト透明の覆い２３７を備えた回転要素２１０を示す図である。図３４および図３５におけるコア２５０はプリズム状で、三角柱として示されている。コア２５０は、図３４および図３５において、「磁北極」については符号「Ｎ」で表され、「磁南極」については符号「Ｓ」で表されるある量の磁性を示す物質をさらに備えている。しかし、磁性を示すように構成されるのは概して回転要素２１０であることを当業者なら理解するはずである。よって、図３４および図３５は、磁性を示すものとしてコア２５０を示しているが、アスペクト透明の覆い２３７も、コア２５０に加えて、あるいは単独で磁性を示しうる。
【００６９】
図３４および図３５におけるコア２５０は、さらに、最大で３つのアスペクトを示すように構成される。図３４は、第１のアスペクト面２５２および第２のアスペクト面２５４が示される視点から回転要素２１０を示す図である。図３５は、第３のアスペクト面２５６および第１のアスペクト面２５２が示される視点から回転要素２１０を示す図である。図９および図１０の回転要素１０に関して先に述べたように、回転要素２１０が誘電性液体（図示せず）に接触しているときに、第１の塗膜２３０が第２の塗膜２３５に対して正味の負電荷「−」を有するように、第１のアスペクト面２４２の上に位置する図３４および図３５におけるアスペクト透明の覆い２３７の面は、第１のゼータ電位の第１の塗膜２３０を有し、第３のアスペクト面２５６が第２のアスペクト面２５４と接する頂端の上に位置するアスペクト透明の覆い２３７の面は、第２のゼータ電位の第２の塗膜２３５を有する。
【００７０】
アスペクト透明な覆い２３７の好適な光学的透明材料としては、ポリカーボネートポリマー、アクリルポリマー、ならびにベーカーペトロライト社製ポリワックス１０００や三井石油化学工業株式会社製ＴＰＸの各種グレード品などのポリオレフィンポリマーが挙げられる。作動化流体に接触すると各々が異なるゼータ電位をもつことが期待できるため、これらは組み合わせて使用されることになる。本願に引用して援用する継続中の米国特許出願第０９／４２７、６５６号に記載されているように、これらの材料は、一般的に回転要素２１０の他の部分の作製にも適している。回転要素２１０に導入することのできる好適な磁性顔料としては、ライトインダストリーズ社（Ｂｒｏｏｋｌｙｎ、Ｎ．Ｙ．）製の磁性顔料タイプ０３１１８２があり、それは単独、あるいはアーカーケミカルのクレシルバイオレットブルー、ベーカーケミカルのロダミン６Ｇ、デュポンのロダミンＢＩ、デュポンのスプリットブルーＮＳ、デュポンのビクトリアブルーＢベース、アライドケミカルのイオソールブルー、イーストマンのアクリジンオレンジ、カルコオイルのブルーＮおよびカルコオイルのブラック、デュポンのＲ９００二酸化チタン、フェッロの６３３１ブラックピグメント、カボットモグルのＬカーボンブラック、ならびにカボットモナークの１０００カーボンブラックのような当業界で知られた他の顔料と組み合わせて使用される。
【００７１】
アスペクト透明の覆い２３７を用いることなく回転要素２１０を作製できることを当業者なら理解するはずである。よって、好適に位置する観察者に対して３つのアスペクトを示すために塗膜または材料を好適に選択すれば、回転要素２００は実質的に円筒状のコアだけを含んでいればよい。
【００７２】
さらに、アスペクト透明の覆い２３７を通して第３のアスペクト面２５６を見ることができる場合には、第１の極、例えば「Ｎ」が回転要素２１０の領域に対応し、好適に位置する観察者がアスペクト透明の覆い２３７を通して第２のアスペクト面２５４を見ることができる場合には、第２の極、例えば「Ｓ」が回転要素２１０の領域に対応するように、回転要素２１０によって示される磁性を構成する。よって、本発明の一実施形態に適合する回転要素２１０は、回転要素２００が誘電性液体（図示せず）に接触している場合で、電気双極子の１つの極、および磁気双極子の両極がアスペクト透明の覆い２３７内のコア２５０の３つのアスペクト面のうちの１つのアスペクト面に関連づけられる場合に、電気双極子と磁気双極子の両方を示すように構成される。
【００７３】
回転要素２１０、および本発明の第２の実施形態に符合し、回転要素２１０の安定向きを例示するアドレッシングシステムを図３６から図３８に示す。
【００７４】
図３６から図３８のアドレッシングシステムは、コントローラ３３０、第１のオーバレイ５３０内の第１の電極３３２および電流ループ３３８、ならびに第２のオーバレイ５４０内の第２の電極３３４から構成される。第１のオーバレイ５３０および第２のオーバレイ５４０は、回転要素シート材の基板（図示せず）のいずれかの側に位置するように構成される。よって、回転要素２１０は第１の電極３３２、第２の電極３３４および電流ループ３３８によって影響される領域内に収まることになる。例示のためにのみ、図３６における電流ループ３３８を回転要素２１０の上（すなわち、観察者６０と回転要素２１０の間）に示す。コントローラ３３０は、選択的または一緒に、第１の電極３３２と第２の電極３３４の間の電気極性、ならびに電流ループ３３８を流れる電流を導入する。第１の電極３３２と第２の電極３３４の間の電気極性は、第１の電極３３２が第２の電極３３４に対して正味の負電荷を示し、または第１の電極３３２と第２の電極３３４の間の電気極性は、第１の電極３３２が第２の電極３３４に対して正味の正電荷を示すものでありうることを当業者なら理解するはずである。さらに、電流ループ３３８を流れる電流は、（所定の視点から）時計回りまたは反時計回りに移動するようにできることを当業者なら理解するはずである。
【００７５】
図３６は、第１の電極３３２が第２の電極３３４に対して（符号「＋」で示される）正味の正電荷を有するようにコントローラ３３０が動作する場合の本発明の一実施形態におけるアドレッシングシステムおよび回転要素２１０の安定構成を示す図である。よって、回転要素２１０の安定向きは、誘電性液体に接触したときに正味の負電荷を示す回転要素２１０の領域が第１の電極３３２に隣接し、誘電性液体に接触したときに正味の正電荷を示す回転要素２１０の領域が第２の電極３３４に隣接するような向きである。ここでも、第１の電極３３２と第２の電極３３４の間に導入された電場Ｅが、回転要素２１０によって示される電気双極子ｐと、エネルギー−Ｅ・ｐが回転要素シート材の回転要素２１０に伴って存在しうる任意の残留仕事関数より大きくなるように相互作用するときは、回転要素２１０は図３６に示される以外の任意の向きでおいて正味のトルクを受けることを当業者なら理解するはずである。正味のトルクは、場合によっては、回転要素２１０の表面における作動化流体（図示せず）の流れの不規則な波動に関連してベクトル場と相互作用する回転要素２１０の正味の単極から生じることもある。よって、図３６における観察者６０は、第１のアスペクト面２５２を観察するのに好適な位置に配置される。
【００７６】
図３７は、観察者６０の視点から反時計回り（矢印３３７の方向）の電流ループ３３８に電流が導入されるようにコントローラ３３０が動作する場合の本発明の一実施形態におけるアドレッシングシステムおよび回転要素２１０の安定構成を示す図である。よって、回転要素２１０の安定向きは、「Ｎ」磁性を示す回転要素２１０の領域が電流ループ３３８に隣接するような向きである。電流ループ３３８の上に導入される磁場Ｂが、回転要素２１０によって示される磁気双極子ｄと、エネルギー−ＢＤが回転要素シート材の回転要素２１０に伴って存在しうる任意の残留仕事関数より大きくなるように相互作用するときは、回転要素２１０は図３７に示される向き以外の任意の向きでおいて正味のトルクを受けることを当業者なら理解するはずである。この場合、正味のトルクは、回転要素２１０の表面における作動化流体（図示せず）の流れの不規則な波動に関連して回転要素２１０の双極子と相互作用する磁場の勾配特性により生じうることを当業者なら理解するはずである。よって、図３７における観察者６０は、第３のアスペクト面２５６を観察するのに好適な位置に配置される。
【００７７】
図３８は、観察者６０の視点から時計回り（矢印３３９の方向）の電流ループ３３８に電流が導入されるようにコントローラ３３０が動作する場合の本発明の一実施形態におけるアドレッシングシステムおよび回転要素２１０の安定構成を示す図である。よって、回転要素２１０の安定向きは、「Ｎ」磁性を示す回転要素２１０の領域が電流ループ３３８に隣接するような向きである。電流ループ３３８の上に導入される磁場Ｂが、回転要素２１０によって示される磁気双極子ｄと、エネルギー−ＢＤが回転要素シート材の回転要素２１０に伴って存在しうる任意の残留仕事関数より大きくなるように相互作用するときは、回転要素２１０は図３８に示される以外の任意の向きでおいて正味のトルクを受けることを当業者なら理解するはずである。ここでも、正味のトルクは、場合によっては、回転要素２１０の表面における作動化流体（図示せず）の流れの不規則な波動に関連して回転要素２１０の双極子と相互作用する磁場の勾配特性により生じうることを当業者なら理解するはずである。よって、図３８における観察者６０は、第２のアスペクト面２５４を観察するのに好適な位置に配置される。
【００７８】
ここでも、すべてのアスペクトをアドレッシングするために傾斜ベクトルを必要としないことにより、ラッチング構成部を必要としないことを当業者なら理解するはずである。
【００７９】
Ｄ．回転要素シート材のアセンブル
本発明の一実施形態における回転要素シート材の作製方法は、例えば本願に引用して援用する米国特許第５、９０４、７９０号に記載されている方法のように、当該技術分野で知られている任意の方法によって回転要素シート材をアセンブルすることにより開始することが好ましい。本発明の回転要素の特別の利点は、残留磁性を示すことである。例えば、本願に引用して援用する米国特許第５、９０４、７９０号には、磁気コア構成部を有する回転要素が既に教示されている。しかし、米国特許第５、９０４、７９０号の回転要素の磁気コア構成部は、パリティベクトルの方向に残留磁場を示す。これを図３９に示す。よって、米国特許第５、９０４、７９０号に教示されているように、本発明に適合する回転要素および回転要素シート材の作製方法は、回転要素シート材をアセンブルすることによって開始することができる。回転要素の磁性化コア構成部のための材料を好適に選択することによって、回転要素の磁気極性を回転軸に垂直な方向に方向づけることができる。これを図４０に示す。複数の回転要素２００の集合体３６０を最初にアセンブルして、回転軸に沿って磁性を示す。好適な操作により、回転要素がすべて極性ベクトル３７０に対する同一方向を共用するように、自動配列することが可能になる。次いで、すべての回転要素が好適に位置する観察者に対して同じアスペクトを示すようにそれらを方向づけるために、回転要素をパリティベクトルに垂直な電場に曝す。適度に高レベルで、かつ外部電場とパリティベクトルの両方に対して垂直な方向に磁場３８０を案内すると、回転要素２００が、パリティベクトルおよび外部電場の方向に対して垂直な方向に再度磁性化する。
【００８０】
Ｅ．回転要素の作製
さらに、本願に引用して援用する米国特許第５、９０４、７９０号に記載されている技術により、回転要素２００または回転要素２１０を作製することができる。図４１は、回転要素を作製する当該方法を示す図である。フィラメントツール４２０は、巨視的な回転要素４１０の一部を捕捉し、あるいは引っ張ってフィラメント４３０内に入れる。次いで、フィラメント４３０を切り刻んで適切な寸法の回転要素を形成することができる。巨視的な回転要素４１０を形成するのに選択される特定のガラスまたはプラスチックは室温では固体状で、温度が上昇すると分解することなく粘性を呈すること、また選択されるすべての材料が類似した粘度／温度曲線を有することが重要である。巨視的な回転要素４１０をアセンブルした後、図４１に示すように、巨視的な回転要素４１０からフィラメント４３０を引き出すことが可能である。巨視的な回転要素４１０は一端をヒータで加熱することができる。フィラメントツール４２０を巨視的な回転要素４１０の加熱した一端に取り付けて、巨視的な回転要素４１０からフィラメント４３０を引き出すことができる。フィラメント４３０は、それらが引き出された巨視的な回転要素４１０の特性を保持視する。この技術は周知の技術で、光学繊維束用ガラス繊維やチャネル電子増倍管の製造に使用されている。フィラメント４３０を引き出して冷却すると、それらを保管し、回転要素シート材の製造に使用することができる。
【００８１】
射出成形または押し出し成形技術を用いた方法の如き、フィラメント４３０を製造するための代替的な方法も利用可能である。
【００８２】
本発明の回転要素に必要な追加的なステップは、回転要素の残留磁性を設定するために、それらを外部場に曝すことである。図４２は、回転要素の第１の実施形態に適合する外部場にフィラメント４３０を曝す方法を示す図である。すなわち、フィラメント４３０の断面の１つの半球部に１つの磁性を施し、フィラメント４３０の断面の第２の半球部に第２の極性を施すよう構成された第１の磁極アドレッサ４４２および第２の磁極アドレッサ４４４でフィラメント４３０を囲むことができる。
【００８３】
さらに、図４３は、回転要素の第２の実施形態に適合する外部場にフィラメント４３０を曝す方法を示す図である。すなわち、フィラメント４３０の断面の円周の三分の一１の部分に１つの磁性を施し、フィラメント４３０の断面の円周の隣接する三分の一の部分に第２の極性を施すよう構成された第３の磁極アドレッサ４５２および第４の磁極アドレッサ４５４でフィラメント４３０を囲むことができる。
【００８４】
Ｆ．本発明の回転要素のカバレージ
図４４から図４６は、先行技術の従来的な画素に対する、密に充填された本発明の回転要素の相対的なカバレージを示す図である。幾何学的解析によれば、図４４に示されるように、円の直径に対するその円に囲まれた正方形の一辺の比は１／√２で、カバレージは約７０％になる。同様に、図４５に示されるように、円の直径に対するその円に囲まれた正三角形の一辺の比は３／√１２で、カバレージは約８７％になる。それに対して、表示領域４８０が３つの画素を含み、例えば赤、緑または青として交互に活性化することができる先行技術の従来的な表示が図４６に示されている。よって、３つのがその１つが活性化される場合におけるカバレージは１／３または３３％になる。
【００８５】
結論
本発明に適合する方法および装置を用いて、二重ベクトル場アドレッシングによる回転要素シート材をアセンブルすることができる。本発明の実施態様についての上述の記載は、例示および説明のために成されたものである。それは網羅的なものではなく、開示された厳密な形式に本発明を限定するものでもない。上記の教示に鑑みて修正や変更が可能であり、あるいは本発明を実施することにより修正や変更がもたらされる場合もある。例えば、いくつかの例では、対象とする電磁エネルギーとして可視光に関連するスペクトルが使用されていた。しかし、赤外線、紫外線およびＸ線を含めた任意の電磁エネルギーを対象とする電磁エネルギーとして使用しても本発明から逸脱することはない、さらに、図２３から図３８は、３つまたは４つのアスペクトを有する複合的な回転要素を示す図である。しかし、回転要素は、任意の数のアスペクトを示すことができる。さらに、本発明の回転要素はアスペクト透明の覆いを含むものとして記載されていた。しかし、本発明の回転要素はアスペクト透明の覆いを用いることなく作製できることを当業者なら理解するはずである。よって、好適に位置する観察者に対して任意の数のアスペクトを示すために、塗膜または材料を好適に選択すれば、回転要素は単にコアを含むものであってよい。よって、第１のベクトル場と第２のベクトル場を好適に混合することによって、多面アスペクトの面のいずれかを好適に位置する観察者の方に方向づけることができる。よって、本発明は上述の実施形態に限定されるものではなく、それらの同等形態の全範囲を考慮に含めた添付の請求項に規定される。
【図面の簡単な説明】
【図１】  先行技術の回転要素シート材を示す図である。
【図２】  先行技術の回転要素シート材の他の概観を示す図である。
【図３】  先行技術の回転要素を示す図である。
【図４】  零振幅（ゼロアンプリチュード：zero amplitude）のアドレッシングベクトル場の存在下での先行技術の回転要素の集合体を示す図である。
【図５】  大きさが零でないアドレッシングベクトル場の存在下での先行技術の回転要素の集合体を示す図である。
【図６】  図５の回転要素の集合体の代替図である。
【図７】  多値アスペクトを有する先行技術の回転要素を示す図である。
【図８】  図７の回転要素の他の配景を示す図である。
【図９】  多値アスペクトを有する先行技術の他の回転要素を示す図である。
【図１０】  図９の回転要素の他の配景を示す図である。
【図１１】  大きさが零のアドレッシングベクトル場の存在下での図７および図８による回転要素の集合体を示す図である。
【図１２】  大きさが零でないアドレッシングベクトル場の存在下での図７および図８による回転要素の集合体を示す図である。
【図１３】  図１２による回転要素の集合体の他の配景を示す図である。
【図１４】  多値アスペクトおよびラッチング構成部を有する先行技術の回転要素を示す図である。
【図１５】  多値アスペクトおよびラッチング構成部を有する先行技術の他の回転要素を示す図である。
【図１６】  図１４の回転要素を含み、かつラッチング構成部を含む回転要素シート材を示す図である。
【図１７】  図１５の回転要素を含み、かつラッチング構成部を含む回転要素シート材を示す図である。
【図１８】  選択されたパリティベクトルを有する先行技術の多面回転要素を示す図である。
【図１９】  他の配景による図１８の回転要素を示す図である。
【図２０】  同一のパリティベクトルを共用する複数の回転要素を組み合わせる先行技術の方法を示す図である。
【図２１】  向きが変化する回転要素の数と加ベクトル場との関係を表す例示的なグラフを示す図である。
【図２２】  ある領域に磁場を案内する先行技術の１つの方法を示す図である。
【図２３】  本発明の回転要素の第１の実施形態を示す図である。
【図２４】  図２３の回転要素の他の配景を示す図である。
【図２５】  アドレッシングシステム、ならびに第１の向きである図２３および図２４の回転要素を示す図である。
【図２６】  アドレッシングシステム、ならびに第２の向きである図２３および図２４の回転要素を示す図である。
【図２７】  アドレッシングシステム、ならびに第３の向きである図２３および図２４の回転要素を示す図である。
【図２８】  アドレッシングシステム、ならびに第４の向きである図２３および図２４の回転要素を示す図である。
【図２９】  大きさが零の第１のベクトル場、および大きさが零の第２のベクトル場の存在下での図２３および図２４による回転要素の集合体を示す図である。
【図３０】  大きさが零でない第１のベクトル場、および大きさが零の第２のベクトル場の存在下での図２３および図２４による回転要素の集合体を示す図である。
【図３１】  図３０による回転要素の集合体の代替的な概観を示す図である。
【図３２】  大きさが零の第１のベクトル場、および大きさが零でない第２のベクトル場の存在下での図２３および図２４による回転要素の集合体を示す図である。
【図３３】  図３２による回転要素の集合体の代替的な概観を示す図である。
【図３４】  本発明の回転要素の第２の実施形態を示す図である。
【図３５】  図３４の回転要素の代替的な概観を示す図である。
【図３６】  アドレッシングシステム、ならびに第１の向きである図３４および図３５の回転要素を示す図である。
【図３７】  アドレッシングシステム、ならびに第２の向きである図３４および図３５の回転要素を示す図である。
【図３８】  アドレッシングシステム、ならびに第３の向きである図３４および図３５の回転要素を示す図である。
【図３９】  アドレッシングのための回転要素を作製する本発明の方法の第１のステップに適合する回転要素の集合体を示す図である。
【図４０】  アドレッシングのための回転要素を作製する本発明の方法の第２のステップに適合する回転要素の集合体および外部場を示す図である。
【図４１】  フィラメントツールおよび巨視的な回転要素を含む、本発明に適合する回転要素を作成する方法を示す図である。
【図４２】  本発明の第１の実施形態に適合する回転要素を作製し、フィラメント内に磁性を生じさせるさらなる方法を示す図である。
【図４３】  本発明の第２の実施形態に適合する回転要素を作製し、フィラメント内に磁性を生じさせるさらなる方法を示す図である。
【図４４】  本発明の第１の実施形態に符合し、例示的なカバレージを示唆する一列の回転要素を示す図である。
【図４５】  本発明の第２の実施形態に符合し、例示的なカバレージを示唆する一列の回転要素を示す図である。
【図４６】  例示的なカバレージを示唆する、先行技術の画素を示す図である。
【符号の説明】
１０，２００  回転要素、２０  作動化流体、３０  キャビティ、４０  基板、５０  回転要素シート材、５５  インフラ層、６０  観察者、７０  第１の層、７５  第１の塗膜、８０  第２の層、８５  第２の塗膜、１００  ベクトル場、１１０，１６０，２６０  無場集合体、１２０  第１のアスペクト集合体、１３０、２３０  第１の塗膜、１３５，２３５  第２の塗膜、１３７，２３７  アスペクト透明の覆い、１４０  第４のアスペクト面、１４２，１５２，２４２，２５２  第１のアスペクト面、１４４，１５４，２４４，２５４  第２のアスペクト面、１４６，１５６，２４６，２５６  第３のアスペクト面、１４８，２４８  第４のアスペクト面、１５０，２５０  コア、１６４  第２のアスペクト集合体、１７０  回転式ラッチング構成部、１７２  シートラッチング構成部、２６６  第３のアスペクト集合体、２６８  第４のアスペクト集合体、１９４，３３６  電流ループ、１９６  磁束線、３００  第１のベクトル場、３２０  第２のベクトル場、３３０  コントローラ、３３２  第１の電極、３３４  第２の電極、３６０  複数の回転要素、４１０  巨視的な回転要素、４２０  フィラメントツール、４３０  フィラメント、４４２  第１の磁極アドレッサ、４４４  第２の磁極アドレッサ、４５２  第３の磁極アドレッサ、４５４  第４の磁極アドレッサ、５１０，５３０  第１のオーバレイ、５２０，５４０  第２のオーバレイ。
【図１】
0004398621.tif 000005
【図２】
0004398621.tif 000006
【図３】
0004398621.tif 000007
【図４】
0004398621.tif 000008
【図５】
0004398621.tif 000009
【図６】
0004398621.tif 000010
【図７】
0004398621.tif 000011
【図８】
0004398621.tif 000012
【図９】
0004398621.tif 000013
【図１０】
0004398621.tif 000014
【図１１】
0004398621.tif 000015
【図１２】
0004398621.tif 000016
【図１３】
0004398621.tif 000017
【図１４】
0004398621.tif 000018
【図１５】
0004398621.tif 000019
【図１６】
0004398621.tif 000020
【図１７】
0004398621.tif 000021
【図１８】
0004398621.tif 000022
【図１９】
0004398621.tif 000023
【図２０】
0004398621.tif 000024
【図２１】
0004398621.tif 000025
【図２２】
0004398621.tif 000026
【図２３】
0004398621.tif 000027
【図２４】
0004398621.tif 000028
【図２５】
0004398621.tif 000029
【図２６】
0004398621.tif 000030
【図２７】
0004398621.tif 000031
【図２８】
0004398621.tif 000032
【図２９】
0004398621.tif 000033
【図３０】
0004398621.tif 000034
【図３１】
0004398621.tif 000035
【図３２】
0004398621.tif 000036
【図３３】
0004398621.tif 000037
【図３４】
0004398621.tif 000038
【図３５】
0004398621.tif 000039
【図３６】
0004398621.tif 000040
【図３７】
0004398621.tif 000041
【図３８】
0004398621.tif 000042
【図３９】
0004398621.tif 000043
【図４０】
0004398621.tif 000044
【図４１】
0004398621.tif 000045
【図４２】
0004398621.tif 000046
【図４３】
0004398621.tif 000047
【図４４】
0004398621.tif 000048
【図４５】
0004398621.tif 000049
【図４６】
0004398621.tif 000050